【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
防護ファブリックを含む使い捨て防護服であって、
前記服が人によって着用されるときに人の胴部の少なくとも一部分を覆うための本体部分を有し、前記本体部分は、前記服を着用するための少なくとも１つの胴部開口部と、人の頭部及び頸部のための頸部開口部とを有し、
前記本体部分は複数の開口部を更に有し、前記複数は、少なくとも、第１の袖において終端する、人が前記服を着用するときに人の右腕の一部分を受け入れるための第１の開口部と、第２の袖において終端する、前記人が前記服を着用するときに人の左腕の一部分を受け入れるための第２の開口部とを含み、前記袖のそれぞれは、人の手首及び手のための開口部を更に有し、
前記服は、前記人が前記服を着用するときに人の身体に面する内部表面と、潜在的に危険な環境又は脅威に面する外部表面とを有し、
前記服には、前記頸部開口部から前記服の少なくとも１つの他の開口部まで延びるフレキシブルシーリング材の少なくとも１つの連続線が設けられており、
前記シーリング材は、前記防護ファブリックの第１の部分を前記防護ファブリックの第２の部分に取り付け、シーリング材の前記連続線は、防護ファブリックの前記第１の部分と前記第２の部分との間に液体不透過性シールを形成し、
前記シーリング材は、前記防護ファブリックの引張強さよりも低い引張強さを有し、及びフレキシブルシーリング材の前記連続線は、前記服を脱ぐために前記着用者によって引きはがされて開くことができる、使い捨て防護服。
【請求項２】
防護ファブリックを含む使い捨て防護服であって、
前記服が人によって着用されるときに人の胴部の少なくとも一部分を覆うための本体部分を有し、前記本体部分は、前記服を着用するための少なくとも１つの胴部開口部と、複数の開口部とを有し、前記複数は、少なくとも、第１のズボン袖において終端する、前記人が前記服を着用するときに人の右脚の一部分を受け入れるための第１の開口部と、第２のズボン袖において終端する、前記人が前記服を着用するときに人の左脚の一部分を受け入れるための第２の開口部とを含み、前記ズボン袖のそれぞれは、人の足首及び足のための開口部を更に有し、
前記服は、前記人が前記服を着用するときに人の身体に面する内部表面と、潜在的に危険な環境又は脅威に面する外部表面とを有し、
前記服には、前記胴部開口部から少なくとも１つのズボン袖開口部まで延びるフレキシブルシーリング材の少なくとも１つの連続線が設けられており、
前記シーリング材は、前記防護ファブリックの第１の部分を前記防護ファブリックの第２の部分に取り付け、シーリング材の前記連続線は、防護ファブリックの前記第１の部分と前記第２の部分との間に液体不透過性シールを形成し、
前記シーリング材は、前記防護ファブリックの引張強さよりも低い引張強さを有し、及びフレキシブルシーリング材の前記連続線は、前記服を脱ぐために前記着用者によって引きはがされて開くことができる、使い捨て防護服。
【手続補正２】
【補正対象書類名】明細書
【補正対象項目名】００３４
【補正方法】変更
【補正の内容】
【００３４】
本明細書中に記載される服の特徴は、レベルＡ、Ｂ、Ｃ又はＤ防護服の一部として適用することができると考えられる。レベルＡの服は、最高レベルの皮膚、呼吸及び目の防護を必要とする状況において使用され、一般に、完全密閉式蒸気防護服である。レベルＢの服は、最高レベルの呼吸保護を必要とするが、より低いレベルの皮膚保護が必要な状況において使用される。レベルＣの服は、大気汚染物質、液体飛沫及び他の直接接触が露出した皮膚に悪影響を及ぼさない又は吸収されない状況において使用される。レベルＤの服は、汚染が単に不快である状況において使用される。Ａ、Ｂ、Ｃ又はＤレベルに格付けされた防護服の組み合わせをともに使用してもよいいくつかの場合があり得る。いくつかの実施形態では、服は、密閉式化学防護スーツの一部であり、いくつかの実施形態では、服は、カバーオールの一部、或いは任意の種類のシャツ若しくはコート又はズボン若しくは組み合わせた服の一部である。
次に、本発明の好ましい態様を示す。
１．防護ファブリックを含む使い捨て防護服であって、
前記服が人によって着用されるときに人の胴部の少なくとも一部分を覆うための本体部分を有し、前記本体部分は、前記服を着用するための少なくとも１つの胴部開口部と、人の頭部及び頸部のための頸部開口部とを有し、
前記本体部分は複数の開口部を更に有し、前記複数は、少なくとも、第１の袖において終端する、人が前記服を着用するときに人の右腕の一部分を受け入れるための第１の開口部と、第２の袖において終端する、前記人が前記服を着用するときに人の左腕の一部分を受け入れるための第２の開口部とを含み、前記袖のそれぞれは、人の手首及び手のための開口部を更に有し、
前記服は、前記人が前記服を着用するときに人の身体に面する内部表面と、潜在的に危険な環境又は脅威に面する外部表面とを有し、
前記服には、前記頸部開口部から前記服の少なくとも１つの他の開口部まで延びるフレキシブルシーリング材の少なくとも１つの連続線が設けられており、
前記シーリング材は、前記防護ファブリックの第１の部分を前記防護ファブリックの第２の部分に取り付け、シーリング材の前記連続線は、防護ファブリックの前記第１の部分と前記第２の部分との間に液体不透過性シールを形成し、
前記シーリング材は、前記防護ファブリックの引張強さよりも低い引張強さを有し、及びフレキシブルシーリング材の前記連続線は、前記服を脱ぐために前記着用者によって引きはがされて開くことができる、使い捨て防護服。
２．前記服に取り外し可能に取り付けられており、且つ前記頸部開口部から前記服の少なくとも１つの他の開口部まで延びるフレキシブルシーリング材の前記連続線を完全に覆うのに十分な幅及び長さを有する、前記防護ファブリックのテープを更に含む、上記１に記載の使い捨て防護服。
３．フレキシブルシーリング材の前記連続線の前記引きはがしを開始するための頸部開口部引きはがしタブの第１セットを更に含み、
前記引きはがしタブは、少なくとも、防護ファブリックの前記第１の部分に取り付けられた第１の引きはがしタブと、防護ファブリックの前記第２の部分に取り付けられた第２の引きはがしタブとを含み、
前記引きはがしタブのそれぞれは、第１端部と、第２端部とを有し、各タブの前記第１端部は、前記服の前記内部表面上において前記第１端部のそれぞれの防護ファブリックに取り付けられており、フレキシブルシーリング材の前記連続線は、前記第１のタブの取付箇所と前記第２のタブの取付箇所との間にあり、
各引きはがしタブの前記第２端部は、前記頸部開口部を通して延び、及び前記第２端部が前記着用者によって把持され且つ引っ張られて、フレキシブルシーリング材の前記連続線を引きはがして開くことができるように固定されないままである、上記１に記載の使い捨て防護服。
４．フレキシブルシーリング材の前記連続線の前記引きはがしが開始されると、フレキシブルシーリング材の前記連続線の前記引きはがしを補助し且つ継続するための内部引きはがしタブのセットを更に含み、
前記内部引きはがしタブは、少なくとも、防護ファブリックの前記第１の部分に取り付けられた第１のタブと、防護ファブリックの前記第２の部分に取り付けられた第２のタブとを含み、
前記内部引きはがしタブは、前記頸部開口部から前記服の少なくとも１つの他の開口部までの距離の３分の１〜３分の２に配置されており、
前記内部引きはがしタブのそれぞれは、第１端部と、第２端部とを有し、各タブの前記第１端部は、前記服の前記内部表面上において前記第１端部のそれぞれの防護ファブリックに取り付けられており、フレキシブルシーリング材の前記連続線は、前記第１のタブの取付箇所と前記第２のタブの取付箇所との間にあり、
各内部タブの前記第２端部は、前記内部引きはがしタブがフレキシブルシーリング材の前記連続線の最初の引きはがしによって露出されるときに、前記着用者によって把持され且つ引っ張られるように固定されないままである、上記３に記載の使い捨て防護服。
５．前記服の前記少なくとも１つの他の開口部は、前記服を着用するために使用される前記胴部開口部である、上記１〜４のいずれか一つに記載の使い捨て防護服。
６．前記服の前記少なくとも１つの他の開口部は、人の手首及び手のための前記袖開口部である、上記１〜４のいずれか一つに記載の使い捨て防護服。
７．防護ファブリックを含む使い捨て防護服であって、
前記服が人によって着用されるときに人の胴部の少なくとも一部分を覆うための本体部分を有し、前記本体部分は、前記服を着用するための少なくとも１つの胴部開口部と、複数の開口部とを有し、前記複数は、少なくとも、第１のズボン袖において終端する、前記人が前記服を着用するときに人の右脚の一部分を受け入れるための第１の開口部と、第２のズボン袖において終端する、前記人が前記服を着用するときに人の左脚の一部分を受け入れるための第２の開口部とを含み、前記ズボン袖のそれぞれは、人の足首及び足のための開口部を更に有し、
前記服は、前記人が前記服を着用するときに人の身体に面する内部表面と、潜在的に危険な環境又は脅威に面する外部表面とを有し、
前記服には、前記胴部開口部から少なくとも１つのズボン袖開口部まで延びるフレキシブルシーリング材の少なくとも１つの連続線が設けられており、
前記シーリング材は、前記防護ファブリックの第１の部分を前記防護ファブリックの第２の部分に取り付け、シーリング材の前記連続線は、防護ファブリックの前記第１の部分と前記第２の部分との間に液体不透過性シールを形成し、
前記シーリング材は、前記防護ファブリックの引張強さよりも低い引張強さを有し、及びフレキシブルシーリング材の前記連続線は、前記服を脱ぐために前記着用者によって引きはがされて開くことができる、使い捨て防護服。
８．前記服に取り外し可能に取り付けられており、且つ前記胴部開口部から前記服の少なくとも１つのズボン袖開口部まで延びるフレキシブルシーリング材の前記連続線を完全に覆うのに十分な幅及び長さを有する、前記防護ファブリックのテープを更に含む、上記７に記載の使い捨て防護服。
９．前記胴部開口部から少なくとも前記第１のズボン袖開口部まで延びるフレキシブルシーリング材の少なくとも１つの連続線と、前記胴部開口部から少なくとも前記第２のズボン袖開口部まで延びるフレキシブルシーリング材の少なくとも１つの連続線とが設けられている、上記７に記載の使い捨て防護服。